(57)【要約】本発明は、ディスプレイ装置のための画像処理の方法を提供し、該装置のための出力画像信号（Ｒ’，Ｇ’，Ｂ’）を生成するために、入力画像信号（Ｒ，Ｇ，Ｂ）を非線形方法で処理するスッテップによって特徴付けられ、そのような非線形処理は、入力画像信号（Ｒ，Ｇ，Ｂ）のパラメタ（Ｙ，Ｓ，Ｈ）に応じる。
2005533428.tif 000002
【特許請求の範囲】
【請求項１】
出力パラメタ値とともに出力画像信号を生成するための、少なくとも一組の入力画像信号の入力パラメタ値の非線形処理の方法であって、
前記非線形処理は、前記入力画像信号の色相値に応答すること、を特徴とする方法。
【請求項２】
前記非線形処理は前記色相値に依存する指数を決定するステップを含み、彩度に関する入力パラメタ値を該指数で累乗する、請求項１に記載の方法。
【請求項３】
請求項２記載の方法であって、更に、
前記入力パラメタ値から導出されるヒストグラムデータに基づいて前記指数を適用するステップを有する方法。
【請求項４】
前記非線形処理は前記色相値に依存する指数を決定するステップを含み、明るさに関する入力パラメタ値を該指数で累乗する、請求項１に記載の方法。
【請求項５】
請求項４記載の方法であって、更に、
前記入力パラメタ値から導出されるヒストグラムデータに基づいて前記指数を適用するステップを有する方法。
【請求項６】
前記彩度に関する入力パラメタ値の前記非線形処理が最大彩度値に依存する、請求項２に記載の方法。
【請求項７】
前記最大彩度値が前記色相値に依存する、請求項６記載の方法。
【請求項８】
前記最大彩度値が明るさに関する出力パラメタ値に依存する、請求項６記載の方法。
【請求項９】
彩度に関する出力パラメタ値が実質的に
【数１】
2005533428.tif 000015
によって決定される、請求項６に記載の方法。
【請求項１０】
予め定められた色相値に関して、前記指数が、重み付けされた、イメージのウィンドウ内のピクセルを表現する入力画像信号の平均彩度値、に基づいて適用される、請求項３記載の方法。
【請求項１１】
予め定められた色相値に関して、現在のウィンドウのための前記指数が、現在及び過去のウィンドウのうちの少なくとも一方のヒストグラムデータに依存して適用される、請求項１０記載の方法。
【請求項１２】
請求項１に記載された方法を実施するための画像処理回路を有する装置。
【発明の詳細な説明】
【技術分野】
【０００１】
本発明は、画像信号処理、特に、しかし排他的にではなく、画像品質の適応向上に関する。
【背景技術】
【０００２】
高品質ディスプレイ装置が、例えば、ビデオ及びコンピュータで作成されたイメージを表示するために、現在利用可能であるが、制限が、特に液晶ディスプレイのパネル及びモニタにようなデジタル・ディスプレイにおいて、今なお存在する。したがって、イメージ品質の向上のための更なる余地が存在するということが認められ、イメージ品質は、彩度の上昇を達成することによって顕著に向上されるであろう、といことが理解される。しかしながら、ディスプレイ装置は、一般に、最大の許容彩度値を示し、特定の色で表示されるイメージの幾つかの領域は、その最大の彩度値又はその近辺となるであろうが、他の色である他の領域は、そのような最大値より幾らか低いままであろう、ということが分かった。
【０００３】
更に、特に、現在のデジタル液晶モニタでは、比較的、ほんの僅かな画像調整しか、ユーザに対して利用可能とされない。彩度、色相、及び色温度は、それ程多く利用可能ではないが、最も頻繁に、画像のコントラスト及び明るさが調整され得る。そのようなデジタル・ディスプレイにおいて、各ピクセルは、３色である赤、緑及び青の１つの明暗度を各々が表現する、３つの値によって駆動される。しかしながら、各色の値を表す働きをする有限のビット数のために、利用可能な駆動値は、同様に制限される。例えば、２４ビットの液晶ディスプレイ・パネルにおいて、各色は、０から２５５の範囲内に含まれる、いかなる値でも駆動され得る。このように、画像処理の幾つかの形式におけるいずれかにおいて、前記最大の許容値を超えて出力信号を増加させる企図又は確かなユーザ制御が存在するならば、閾値以上の全ての駆動レベルが、同一の値によって表現されるクリッピング効果が生じるであろう。このように、入力画像信号において、非常に明るく存在する幾つかの画像の細部は、したがって、そのようなクリッピング効果によって生じる、彩度レベルのアマルガム化を通して失われるであろう。
【発明の開示】
【発明が解決しようとする課題】
【０００４】
イメージを向上させることが本発明の目的である。
【課題を解決するための手段】
【０００５】
本発明は独立項によって規定される。従属項は、好適な実施例を規定する。
【０００６】
本発明の１つの観点によると、入力信号の非線形処理の方法は、該非線形処理が入力画像信号の色相値に応答する、ということで特徴付けられる。
【０００７】
前記処理が、前記出力信号のいかなるクリッピングをも制限すること、又は真に回避すること、を提供できる、ということが特別な優位点である。これは、彩度を、クリッピングが未だ生じない最大レベルまで増大させることによって達成され得る。この最大値を決定するために、特に、色相値が利用される。
【０００８】
本発明は、例えば、出力画像信号の彩度が画像の細部の損失を回避するという方法で制御され得る、という優位点を持つ。なぜならば、前記彩度は、高い彩度レベルを示す画像領域よりも、低い彩度レベルを示す画像領域で、より増加させられるからである。前述したクリッピング効果は、したがって、都合よく回避される。
【０００９】
彩度の増加が表示されるべきイメージを相当に向上させるので、入力パラメタ値の組は、望ましくは彩度値を有する。
【００１０】
代替的に、明るさ値の調整が提供され得る。明るさ値だけでなく彩度値の調整を適切に組み合わせることにより、イメージの望ましくない変色がなくなるであろう。
【００１１】
非線形処理の簡潔な方法は、パラメタ値を、ある指数で累乗することである。色相に基づいて指数を選択することにより、前記非線形処理は、前記出力画像信号が、クリッピング効果を全く、（又はごく僅かしか）示さない、ということを取り入れる。
【００１２】
前記非線形処理は、彩度値の非線形処理の間に、最大彩度値Ｓｍａｘを考慮に入れることにより、（例えば、クリッピングを回避する又は最小化するにもかかわらず、彩度を最大化する、という意味で）更に改善され得る。
【００１３】
前記最大彩度値Ｓｍａｘが、色相値又は明るさに応じた出力パラメタ値に依存する（望ましくは、出力明るさ値だけでなく色相値の両方に依存する）、ということも優位点である。
【００１４】
前記非線形処理において使用される指数は、また、前記イメージの内容への依存とされても良く、１組又は複数組の入力パラメタ値のヒストグラムによって表現される。例えば、クリッピング効果が更に最小化される一方で、彩度が更に増加される、というような方法に非線形処理を適合させるということは、更なる改善である。
【００１５】
リアルタイム・ビデオ情報を表わす入力画像信号の場合、該ビデオ情報は、一連のイメージとして考慮され得る。各イメージは、それ自身のヒストグラムを有する。前記指数は、直接的に、前記ヒストグラムの内容に依存するようにされ、又は代替的に、より段階的な変化が、幾つかのイメージにわたって該指数の変化の平均をとる（ローパス・フィルタリングする）ことによって当該指数を適合させることにより、提供され得る。このような方法で、イメージ間における指数の突然の大きな変化から発生する不整は回避される。
【００１６】
このように、本発明によれば、ディスプレイ内の各ピクセルの彩度、及び／又は明るさは、入力画像信号が低い彩度値を有する場合の大幅な増大、入力信号の彩度値が該彩度値の最大限度に近い場合のそれ程大幅ではない増大、及び当該入力信号が既に最大の彩度値を有する場合の無変更、を取り入れるという非線形方法で変更され得る、ということが理解されるべきである。
【発明を実施するための最良の形態】
【００１７】
本発明の、これらの及び他の視点は、図面の参照により明らかとなり、該図面を参照しつつ説明されるであろう。
【００１８】
図１は、本発明の実施による、ディスプレイ装置を駆動するシステム１０を図示する一般的なブロック図を示し、赤、緑、及び青の入力画像信号１４を受け取り、一端処理されると、液晶パネルのようなディスプレイ装置のための、赤、緑、及び青の出力画像信号１６を出力する非線形処理手段１２を有する。非線形処理手段１２の動作は、赤、緑及び青の入力画像信号１４、又はこれらの信号から導出されるパラメタ（図示されない）をサンプルするヒストグラム評価器２０からの信号に、独りで応じるマイクロコントローラ１８によって制御される。この図示された例では、ヒストグラム評価器２０は、図２への参照によって更に図示されるように、入力画像信号の明るさ、彩度、及び色相値に作用する。もちろん、図は、単に、本発明の１つの実現性のある実施例を図示しているに過ぎない。入力画像信号１４は、ピクセルの行及び列のマトリクスからなるイメージを表す。赤、緑、及び青の画像信号１４，１６は、イメージのピクセルの赤、緑、及び青のカラー要素についての、デジタルフォーマット形式の情報を有する。リアルタイム・ビデオ信号の場合、これらの信号は、一連のイメージとして処理される。処理は、これらの各イメージに対して適用され得る。
【００１９】
図２は、幾分詳細に、図１の１つの実現性のある実施例を図示し、その中に図示される処理ブロックの各々は、ここで、順に論じられるであろう。
【００２０】
第１の変換ブロック２２は、赤Ｒ、緑Ｇ、及び青Ｂの入力画像信号１４を、明るさＹ、色相Ｈ、及び彩度Ｓのパラメタ値に変換する。
【００２１】
図示された実施例において、このブロックは、機能的に、二つのサブブロック、すなわち、非線形ブロックが続く、マトリクスを通して完成される線形変換、に分割され得る。
【００２２】
前記線形ブロックによって、明るさＹ及び色度座標Ｃｒ、Ｃｂは、全てのピクセルについて、以下のように計算される。
【数１】
2005533428.tif 000003
ここで、マトリクスａｉｊは、予め定められたパラメタの組を有し、該パラメタは駆動されるべきディスプレイ装置の色座標に依存する。この計算は、各列において、３つの積算器と、３つの加算器とを使用することによって、ハードウェアにおいて実行され得る。
【００２３】
ピクセルの彩度Ｓ、及び色相値Ｈは、したがって、以下の式によって規定される。
Ｓ＝（Ｃｒ２＋Ｃｂ２）１／２
Ｈ＝ｔａｎ（Ｃｒ／Ｃｂ）
【００２４】
これらの関数は、幾つかの方法、例えば、ルックアップテーブル（ＬＵＴ）及び／又はハードウェア補間器を使用することにより実現され得る。
非線形彩度処理ブロック２４は、最大の彩度値Ｓｍａｘ、及び変換器２２からの彩度値を受け取る。前記最大の彩度値Ｓｍａｘがピクセルに決定される方法が以下に説明されるであろう。図示された実施例において、ガンマ関数の形態の非線形関数は以下のように用いられる。
【数２】
2005533428.tif 000004
ここで、Ｓ’は、前記彩度に対応する出力画像信号１６の出力パラメタであり、γｈは、この非線形処理において使用される指数である。
【００２５】
前記変換関数は、
【数３】
2005533428.tif 000005
の形態で再整理される。
【００２６】
この関数は、幾つかの方法、例えば、ＬＵＴ及び積算器を使用することで、実現され得る。１つの実現性のある実施例が、図３に図示される。
【００２７】
最初に、彩度Ｓ及び最大の彩度値Ｓｍａｘの対数が、それぞれの対数ブロック３０２，３０１において決定される。そして、その結果は、減算器３０３において減算される。減算器３０３の出力値、Ｌｏｇ２（Ｓ）−Ｌｏｇ２（Ｓｍａｘ）である、は、積算器３０４において、指数γｈによって積算される。積算器３０４の出力値は、加算器３０５において、ブロック３０１の出力値Ｌｏｇ２（Ｓｍａｘ）に加算される。加算器３０５の出力値は、指数ブロック３０６において指数として使用され、数値２が、この指数で累乗される。この結果、指数ブロック３０６の出力部に現れる結果は、出力彩度値Ｓ’である。
【００２８】
彩度評価ブロック３４は、変換器２２からの色相値Ｈ、及び輝度処理ブロック３２からの出力明るさ値Ｙ’の両者を受け取る。
【００２９】
図５ａのグラフは、最大の彩度値Ｓｍａｘと、色相値Ｈが与えられた場合の明るさ値Ｙと、の間の、典型的な関係を図示する。中間パラメタｍ１、ｍ２、及びＹｔは、色相値Ｈの関数である。これらの値は、ＬＵＴから難なく得られ得る。中間パラメタｍ１及びｍ２は、図５ａに示されるような、それぞれの角α１、及びα２のタンジェントとして規定される。
ｍ１＝ｔｇ（α1）
ｍ２＝ｔｇ（α2）
【００３０】
図５ｂ、５ｃ、５ｄにおいて、それぞれの中間パラメタｍ１、ｍ２及びＹｔのための、適切な値が提供される。これらの適切な値は、前記入力パラメタ値が８ビットデジタルフォーマット（２５６個の有効な異なる値に帰着する）で利用でき、前記マトリクスａｉｊは以下の値を有する、ということが実験的に見出された。
ａ１１＝６６      ａ１２＝１２９      ａ１３＝２５
ａ２１＝−３８    ａ２２＝−７４      ａ２３＝１１２
ａ３１＝１１２    ａ３２＝−９４      ａ３３＝−１８
【００３１】
このマトリクスａｉｊを適用する場合、最大の明るさ値Ｙｍａｘは２２０となる一方、最小の明るさ値Ｙｍｉｎ（図５ａに示される）は、零に相当する。
【００３２】
彩度評価ブロック３４の実現性のあるハードウェアの実施のブロック図が、図６ａにおいて与えられる。第１の枝は、第１の減算器６０１及び第１の積算器６０２によって、関数（Ｙｍａｘ−Ｙ’）ｍ２を計算する。第２の枝は、第２の減算器６０３及び第２の積算器６０４を使用して、関数（Ｙ’−Ｙｍｉｎ）ｍ１を計算する。比較器６０５は、Ｙ’がＹｔより大きいのか、あるいは小さいのかを決定する。Ｙ’がＹｔより大きい場合、積算器６０６は、出力値として、（Ｙｍａｘ−Ｙ’）ｍ２を選択する。Ｙ’がＹｔより小さい場合、積算器６０６は、出力値として、（Ｙ’−Ｙｍｉｎ）ｍ１を選択する。このような方法で、積算器６０６の出力値は、図５ａに示されるような出力明るさ値Ｙ’の関数として、要望される最大の彩度値Ｓｍａｘに対応する。
【００３３】
中間パラメタｍ１、ｍ２、及びＹｔはＬＵＴから得られ、入力値として色相値Ｈを受け取る（図６ａには示されない）。これらのＬＵＴは、図５ｂ、５ｃ、５ｄのグラフに示されているような中間パラメタを含む。
【００３４】
彩度評価ブロック３４の実現性のあるハードウェア実施例の代替的なブロック図が、図６ｂにおいて与えられる。比較器６１０は、再び、Ｙ’がＹｔよりも大きいか否かを決定する。大きくない場合、積算器６１１、６１２、６１５は、積算器６１１、６１２、６１５の内部で、点線によって示される入力部に存在する入力値を出力値として選択する。大きい場合、積算器６１１、６１２、６１５は、他の入力部に存在する入力値を選択する。
【００３５】
結果として、（Ｙ’−Ｙｍｉｎ），又は（Ｙｍａｘ−Ｙ’）が、別々に、減算器６１３の出力部に提供されるであろう。
【００３６】
積算器６１４は、比較器６１０の出力値に基づいて、ｍ１、ｍ２によって、それぞれ、減算器６１３の前述した出力値を積算する。
【００３７】
マルチプレクサ６１５は、比較器６１０の出力値に基づいて、ｍ１、ｍ２を、それぞれ選択する。積算器６１４の結果としての出力値は、再び、望まれた最大の彩度値Ｓｍａｘである。
Ｓｍａｘ＝（Ｙ’−Ｙｍｉｎ）ｍ１              （Ｙ’≦Ｙｔの場合）
Ｓｍａｘ＝（Ｙｍａｘ−Ｙ’）ｍ２              （Ｙ’＞Ｙｔの場合）
【００３８】
前述したように、中間パラメタはＬＵＴから得られる。
【００３９】
γｈＬＵＴブロック２６は、色相値Ｈを、変換器２２から受け取る。γｈの値は、色相の関数を有することができる。このような方法で、色相値Ｈに基づいて、様々なカラー彩度処理を適用することが可能となる。これは、ＬＵＴを使用することによって容易に実現され得る。色相値Ｈの関数としての指数γｈの値の適切な例は、図７において与えられる。指数γｈは、色相値Ｈの制限された範囲のなかで、より大きい値（１に近い）を示す。この制限された範囲は、例えば、肌の色に対応する１４５近辺の色相値Ｈを含む。人間の目は、これらの色に対して非常に敏感であり、彩度の増加は、「不自然な」イメージに帰着する。これらの肌の色のための非線形処理の程度を（指数を１に近い値に選択することにより）削減することによって、この問題は回避される。前記制限された範囲の外では、色の相当な「押し上げ」が、例えば、γｈに値０．７を適用することによって、得られる。
【００４０】
図２に戻り、非線形輝度処理ブロック３２は、変換器２２から明るさ値Ｙを受け取る。
【００４１】
この実施例において、他の指数γＹを使用する非線形関数が適用され、出力明るさ値Ｙ’は、該関数
【数４】
2005533428.tif 000006
によって提供される。
【００４２】
前記変換関数は、以下の形態に再整理され得る。
【数５】
2005533428.tif 000007
【００４３】
上記の関数は、例えば、図４のハードウェア・ブロック部において示されているように実現可能である。入力明るさ値Ｙの対数は、対数ブロック４０１において決定される。対数ブロック４０１の出力値は、積算器４０２のもう一方の指数γＹによって積算される。積算器４０２の出力値は、値２をこの指数で累乗するために、指数ブロック４０３における指数として使用される。指数ブロック４０３の出力部に表れる結果は、出力明るさ値Ｙ’である。上記のハードウェア・ブロック図の代替はＬＵＴを適用することである。
【００４４】
図２において、γＹＬＵＴブロック２８もまた変換器２２から色相値Ｈを受け取る。γＹの値もまた色相の関数を有し、したがって、該色相値Ｈに基づいて、様々な明るさ処理を適用することが可能である。これは、適切なＬＵＴ手段で容易に実現可能である。前記色相値Ｈの関数としての、もう一方の指数γＹの適切な値の例は、図８において与えられる。もう一方の指数γＹは、前記色相値Ｈの制限された範囲内（１４５近辺）で、１に近い値を示す。再び、この範囲において、不自然な肌の色を回避するために、非線形処理の次数は削減される（又は０にされる）。この領域の外側では、もう一方の指数γＹは、望ましくは、１よりも大きな値、例えば１．２を有する。
【００４５】
図２において、ＹＨＳからＲＧＢへの変換器３０は、信号処理経路の最後のブロックを有し、出力パラメタ値Ｙ’，Ｓ’，Ｈを出力画像信号Ｒ’，Ｇ’，Ｂ’へ変換する。
【００４６】
このブロックは、出力彩度値Ｓ’及び色相値Ｈから、出力色度座標Ｃｒ’及びＣｂ’を得るための非線形変換関数をカスケード接続することによって実現可能であり、これらの座標を、出力画像信号Ｒ’、Ｇ’、及びＢ’に変換する線形変換が続く。
【００４７】
出力座標Ｃｒ’及びＣｂ’を計算するための式は、
Ｃｒ’＝Ｓ’ｓｉｎ（Ｈ）           Ｃｂ’＝Ｓ’ｃｏｓ（Ｈ）
である。
【００４８】
関数ｓｉｎ（Ｈ）及びｃｏｓ（Ｈ）は、ルックアップテーブル、及び補間器を通して実現され得る。
【００４９】
更に、出力画像信号Ｒ’、Ｇ’、Ｂ’の値は、Ｙ’、Ｃｒ’、Ｃｂ’を、以下に示す適切なマトリクスｂｉｊで積算することによって計算され得る。
【数６】
2005533428.tif 000008
ここで、マトリクスｂｉｊは、ディスプレイ装置の色座標に依存する、予め定められたパラメタの組を有する。前記関数は、各マトリクス列に、３つの積算器と、３つの加算器とを要求する。
【００５０】
前記非線形処理は、イメージの入力パラメタ値Ｙ，Ｓ，Ｈの分布への依存とさせることもできる。この分布は、図２に示されるような、ヒストグラム評価器２０を使用することによって評価され得る。評価器２０は、入力パラメタ値Ｙ，Ｓ，Ｈを受け取り、あるイメージ（又は全てのイメージ）の領域（「ウインドゥ」）における、入力値Ｙ，Ｈ，Ｓの（３つの）組み合わせの発生回数を確定する。
【００５１】
前記分布に依存して、指数γYおよびγｈは、それぞれ、マイクロコントローラ１８を介して、γＹＬＵＴ２８及びγｈＬＵＴ２６に適用され得る。結果として、非線形処理の次数は分布に依存して適用され得る。主たる目的は、イメージの領域のカラー彩度を色相値Ｈが与えられた場合に適用することであるので、使用する適切なパラメタは、平均彩度値
【数７】
2005533428.tif 000009
あり、これは入力明るさ値Ｙの関数である。
【００５２】
入力明るさ値Ｙの関数としての、この平均彩度値
【数８】
2005533428.tif 000010
は、以下のヒストグラムΩ（Ｙ，Ｈ，Ｓ）から導き出され得る。
【数９】
2005533428.tif 000011
ここで、ΩＨは、色相値Ｈが与えられた場合のヒストグラムであり、ｉは、入力可能な入力彩度値Ｓ’の範囲のインデックスであり、Ｓｉは、ｉ番目の入力可能な入力彩度値である。８ビットデジタル入力画像信号の場合、ｉの範囲は２５６である。
【００５３】
改善は、重み要素Ｗ（Ｙ，Ｈ）を考慮に入れることにより適用され、入力明るさ値Ｙが与えられた場合の最大可能彩度値に依存する平均彩度値
【数１０】
2005533428.tif 000012
を重み付けする。
【００５４】
重み要素Ｗ（Ｙ，Ｈ）を考慮することにより、重み付けされた平均彩度値は、
【数１１】
2005533428.tif 000013
となる。
【００５５】
続くステップとして、パラメタΨ｜Ｈ、色相値が与えられた場合の重み付けられた平均色相彩度値、が、式
【数１２】
2005533428.tif 000014
から計算でき、ここで、ｊは有効な入力明るさ値Ｙの範囲のインデックスである。
【００５６】
イメージの領域に関連する重み付けされた平均色相彩度値Ψ｜Ｈは、指数γｈを適用することによって、非線形処理の次数を適用するために使用され得る。
【００５７】
イメージにおける変化する領域、又は変化するイメージのビデオ情報の場合、値Ψ｜Ｈは、該ビデオ情報の各イメージのために決定される。現在の値Ψ｜Ｈは、ユーザ調整可能な目標値ΨＴ｜Ｈと比較される。
【００５８】
現在の値Ψ｜Ｈが目標値ΨＴ｜Ｈから大きく離れる場合、エラー信号は２つの値の差に比例し、指数γｈを適用するために使用される。エラー信号にローパス・フィルタリングを適用することによって、ビデオ情報を変化させるための指数γｈの突然の変化が回避される。
【００５９】
この方法において、前記出力画像信号がディスプレイ装置に表示される際に、妨害効果は回避される。
【００６０】
前述の実施例は、本発明を制限せずに図示するものであり、いわゆる当業者は、添付の請求項の範囲から逸脱することなく、多くの代替実施例を設計することができる、ということに留意されたい。請求項において、括弧の間に配置されたいかなる参照符号も、請求項を制限するとして解釈されるべきではない。動詞「有する」の使用、及びその活用形は、請求項にあるもの以外の要素又はステップの存在を排除しない。数が特定されない要素は、複数のそのような要素の存在を排除しない。本発明は、幾つかの個別の要素を有するハードウェアによって、及び適切なプログラムされたコンピュータによって実現可能である。幾つかの手段を列挙する装置の発明において、これらの手段の幾つかは、ハードウェアの同一の部材によって実現され得る。ある手段が、異なる従属項に相互に記載されている単なる事実は、これらの手段の組み合わせが、向上に生かすことができない、ということを示さない。
【図面の簡単な説明】
【００６１】
【図１】図１は、本発明の一般的な概念を実現するシステムの基本ブロック図である。
【図２】図２は、更に詳細に、図１のシステムを示す概略ブロック図である。
【図３】図３は、図２の非線形彩度処理ブロックの、ある１つの実現を図示する、概略ブロック図である。
【図４】図４は、図２の、非線形輝度処理の概略ブロック図である。
【図５ａ】図５ａは、色相が与えられた場合における最大彩度と明るさとの間のグラフ表示を図示する。
【図５ｂ】図５ｂは、中間パラメタの適切な値を図示する。
【図５ｃ】図５ｃは、中間パラメタの適切な値を図示する。
【図５ｄ】図５ｄは、中間パラメタの適切な値を図示する。
【図６ａ】図６ａは、図２の彩度バウンド評価ブロックのハードウェアにおける実現の概略ブロック図を有する。
【図６ｂ】図６ｂは、図２の彩度バウンド評価ブロックのハードウェアにおける実現の概略ブロック図を有する。
【図７】図７は、指数γhの適切な値を図示する。
【図８】図８は、他の指数γYの適切な値を図示する。
【図１】
2005533428.tif 000016
【図２】
2005533428.tif 000017
【図３】
2005533428.tif 000018
【図４】
2005533428.tif 000019
2005533428.tif 000020
2005533428.tif 000021
2005533428.tif 000022
【図７】
2005533428.tif 000023
【図８】
2005533428.tif 000024
【国際調査報告】
2005533428.tif 000025
2005533428.tif 000026
2005533428.tif 000027